(57)【要約】【課題】インターネットやテレビ番組の動画像およびテキストを画面に表示する際、テキストの大きさや、表示領域の大きさを、ユーザの好みに応じて簡単な操作で変更可能な情報表示端末を提供する。【解決手段】情報表示端末１は、記億部１２にフォントサイズと表示画面の表示画素数との組み合わせを表にしたパラメータテーブルを格納して持ち、ポインティングデバイスに設けられた変更ボタンのユーザによる操作で選択されたパラメータテーブルのフォントサイズと表示画素数になるよう、制御部４はパラメータテーブルの情報を参照してレンダラーを制御し、表示画面の再表示を行う。【選択図】図１
2009003745.tif 000002
【特許請求の範囲】
【請求項１】
表示手段と、
文字表示フォントサイズと表示画素数との組み合わせデータからなるパラメータテーブルが格納された記憶部と、
ポインティングデバイスとを具備し、
前記ポインティングデバイスからの変更操作信号に応じて、前記パラメータテーブルの組み合わせデータが選択され、
該選択された組み合わせデータの表示フォントサイズと表示画素数を用いて前記表示手段の表示画面の再描画を実行することを特徴とする情報表示端末。
【請求項２】
前記ポインティングデバイスは、少なくともリモコン、コントーラ、マウスのいずれかで構成され、画面の表示サイズの変更ボタンを備えることを特徴とする請求項1記載の情報表示装置。
【請求項３】
ネットワーク接続手段を具備し、インターネットのページを前記表示画面に表示することを特徴とする請求項１記載の情報表示端末。
【請求項４】
テレビチューナを備え、テレビ番組を前記表示画面に表示可能であることを特徴とする請求項３記載の情報表示端末。
【請求項５】
前記表示画面が複数の矩形表示領域に分割表示され、前記ポインティングデバイスからの変更操作信号により選択された矩形領域の表示領域を前記表示画面全体に拡大して表示することを特徴とする請求項３記載の情報表示端末。
【請求項６】
前記表示画面が複数の矩形表示領域に分割表示され、前記表示しているインターネットのページごとに、拡大表示したい分割領域を前記記憶部のパラメータテーブルに格納して用いることを特徴とする請求項３記載の情報表示端末。
【発明の詳細な説明】
【技術分野】
【０００１】
本発明は、インターネット、或いはテレビ放送などを表示する情報表示端末に係り、特に、画面に表示するフォントサイズや、表示領域の大きさを変更可能な情報表示端末に関する。ここで、情報表示端末としては、例えば、テレビ受像機、パーソナルコンピュータ、ＤＶＤレコーダなどが挙げられる。
【背景技術】
【０００２】
画面に情報を表示する情報表示端末では、操作者と表示画面との距離が重要となる場合がある。例えば、下記の特許文献１では、ワードプロセッサでの文書作成を例に、表示文字フォントのサイズが小さい場合、操作者（ユーザ）は画面に近づかなければ見ずらくなり、逆に表示フォントのサイズが大きすぎる場合には、全体文書として見にくくなるので、その都度文書入力を中断し、表示モードの切り換え用画面をウインド表示させ、表示文字フォントのサイズ変更を行わなければならない問題を挙げ、この視認性の問題に対処するため、操作者と表示画面との距離を測定し、その距離に応じて画面に表示するフォントサイズの変更を自動的に行う表示制御装置が提案されている。
【０００３】
【特許文献１】特開平１０−２６０６６６号公報
【発明の開示】
【発明が解決しようとする課題】
【０００４】
上記従来技術によれば、表示装置に設けた距離センサによりユーザと表示画面との距離を測定し、画面に表示するフォントサイズを変更して、表示することが可能である。
【０００５】
しかしながら、この従来技術では、距離に応じて、可変サイズのフォントを表示することは可能であるが、実際に操作してみると表示フォントのサイズは、数種類で十分であり、仕様が過剰となっている。また動画の表示の場合にも同様の視認性の問題があるが、動画には対応していないため、ユーザは表示フォントのサイズによっては見ずらくなる問題がある。
【０００６】
また、離れたところであっても、どの表示サイズが良いかは、ユーザの主観によるため、使いやすいとはいえず、ユーザの好みに応じて表示画面上の任意の位置を拡大して表示したり、表示するチャンネルやインターネットのＵＲＬ(Uniform Resource Locator）ごとに拡大表示することは考慮されていなかった。
【０００７】
そこで、本発明の目的は、過剰な種類の表示フォントを必要とせず、フォントサイズの変更、任意の位置の表示画面のサイズ変更が可能な情報表示端末を提供することにある。
【０００８】
また、表示するチャネルやインターネットのＵＲＬごとの表示画面サイズの変更を可能にしてユーザビリティの良い情報表示端末を提供することも本発明の目的の一つである。
【０００９】
さらに、動画表示されている場合でも拡大表示が可能な情報表示端末を提供することもまた本発明の目的の一つである。
【課題を解決するための手段】
【００１０】
本発明に係る情報表示端末は、表示手段と、文字表示フォントサイズと表示画素数との組み合わせデータからなるパラメータテーブルが格納された記憶部と、ポインティングデバイスとを具備し、前記ポインティングデバイスからの変更操作信号に応じて、前記パラメータテーブルの組み合わせデータが選択され、該選択された組み合わせデータの表示フォントサイズと表示画素数を用いて前記表示手段の表示画面の再描画を実行することを特徴とするものである。
【発明の効果】
【００１１】
本発明によれば、リモコンなどのポインティングデバイスに変更ボタンを新たに備えたことにより、ユーザの任意の要求に応じて簡単な操作で表示画面の拡大表示ができる情報表示端末を提供することが可能となる。
【００１２】
また、本発明に係る情報表示端末は、動画表示されていても画面の表示サイズを変更して拡大表示が可能である。表示画面を任意の矩形領域に分割し、表示するチャンネルやインターネットのＵＲＬごとにパラメータテーブルに格納しておくことにより、ユーザが指定した矩形領域を拡大表示することができる。特にインターネットの情報においては、動画の表示領域が小さいことがあるので、そのときに簡単な操作で、大きな画面に表示することができるので、ユーザビリティの良い情報表示端末を提供できる。
【発明を実施するための最良の形態】
【００１３】
以下、本発明に係る情報表示端末の好適な実施の形態について、添付図面を参照しながら詳細に説明する。
【実施例１】
【００１４】
図１は、本発明の第１の実施例の情報表示端末である、ネットワーク端末の内部ブロックの構成を示す図である。ネットワーク端末１は、ネットワーク端末外部のリモコン（図示せず）からのリモコン信号２を受信するリモコン受信部３、ネットワーク端末全体を制御する制御部４、レンダラー５、パラメータテーブル６、ビデオメモリ７、ネットワーク接続部８、ＣＲＴや液晶ディスプレイなどの表示手段９、ネットワークケーブル１０、映像信号ケーブル１１、パラメータテーブル６を格納する記憶部１２から構成される。
【００１５】
ここで、リモコン信号２と、ネットワークケーブル１０と、映像信号ケーブル１１とがネットワーク端末１の外部とのインターフェイスとして用いられている。ネットワークケーブル１０から到着したインターネットの情報は、ネットワーク接続部８を経由して、レンダラー５に渡される。
【００１６】
レンダラー５は表示画面要素を構成し、ビデオメモリ７に映像表示情報が展開され、表示手段９によって、映像信号として映像信号ケーブル１１に出力され、表示装置（図示せず）に表示される。ここでリモコン（図示せず）によって入力されたリモコン信号２は、リモコン受信部３で受信され、制御部４に入力される。
【００１７】
制御部４は記憶部に格納されたパラメータテーブル６を参照し、レンダラー５に表示方法の変更を指示し、レンダラー５は、先のインターネットの情報をパラメータテーブル６に保存された情報を用いて、表示を行う。パラメータテーブル６に格納されている内容については、後述の図４にて詳細に説明を行うが、このパラメータテーブル６には、文字表示の際に用いるフォントの大きさを示すフォントサイズと、表示手段９にて表示を行う大きさを示す表示画素数との組み合わせデータが格納されており、制御部４は、リモコン信号２によって、ユーザの変更指示に合わせて、表示画面のフォントサイズの変更と表示画素数の変更を行うことが可能である。
【００１８】
図２は、本実施例におけるネットワーク端末１、リモコン受光部３、ネットワークケーブル１０、映像信号ケーブル１１、リモコン２０、および表示装置２１の外観を示した図である。図２において、図１に示した構成と同じ構成部分には、同じ参照符号を付してある。ここでは、ネットワーク端末１と表示装置２１が映像信号ケーブル１１によって接続され、リモコン２０の信号は、リモコン受信部３を経て、ネットワーク端末１に入力されている。ユーザは、リモコン２０を用いて、ネットワーク端末１を操作し、ネットワークケーブル１０から送られてきたインターネットの情報を、表示装置２１に表示することが可能である。
【００１９】
図３は、第１の実施例の内部構成図であり、図３において参照符号３１はプロセッサ、３２は入力手段、３３は出力手段、３４は読み出し専用フラッシュメモリ（Ｆｌａｓｈ ＲＯＭ）、３５はメインメモリ、２３は、大容量記憶装置のハードディスク（ＨＤＤ）である。ネットワーク端末１は、一種のコンピュータであり、制御部４を構成するプロセッサ３１による制御により、Ｆｌａｓｈ ＲＯＭ３４に格納されたプログラムや、ＨＤＤ２３に格納されたプログラムを実行して、入力手段３２、出力手段３３を通じて、図１で述べた各ブロックの機能を実現している。なお、前述したパラメータテーブル６を格納する記憶部１２として、ＨＤＤ２３、或いはフラッシュメモリ３４を用いることができる。
【００２０】
図４は、本実施例において、図１に示したパラメータテーブル６に保存された内容を示す図である。パラメータテーブル６に格納された情報は、フォントサイズの情報と、表示解像度の情報であり、それぞれＡからＤまでの組み合わせを持っている。例えば、組み合わせＡでは、フォントサイズは１０ポイントであり、そのときの表示解像度は９６０ドット×５４０ドットということになる。このパラメータテーブル６によれば、組み合わせＡよりも組み合わせＢの方が、フォントサイズは同じでも、表示解像度が高いので、結果的に、組み合わせＢを用いるとテキストを表示するフォントは小さくなる。また組み合わせＡと組み合わせＣを比較すると組み合わせＣの方が、同じ表示解像度にも関わらず、フォントサイズが２０ポイントと大きいため、表示画面上のテキストを表示するフォントは大きくなる。
【００２１】
図５（ａ）〜（ｃ）は、第１の実施例における図２のリモコン２０を含めた他の構成例を示した図であり、（ａ）はリモコン、（ｂ）はコントローラ、（ｃ）はマウスであり、リモコン２０やコントローラ５２には、それぞれ新たに変更ボタン５４が用意され、図１で説明した表示画面のフォントサイズの変更や、表示画素数の変更の操作を、変更ボタン５４により実施可能である。
【００２２】
その結果、ユーザはいつでも、任意の時に、簡単な操作でユーザの好みに合った表示形式に変更が可能であり、使い勝手が良くなる。また、マウス５３には、変更ボタン５４を新たに追加したが、マウスの右ボタン或いは、左ボタンの操作で、表示形式の変更を実施するようにしても良い。
【００２３】
図６は、表示画面におけるテキストフォント拡大表示の例を示す図である。図６において、参照符号６０は表示画面、６１と６２はテキスト、６３は動画表示領域を、それぞれ示している。なお、テキストは一例としてアルファベットの「ａ」を表示している。ユーザにより、ポインティングデバイスの変更ボタンを押して図６上側の表示画面６０から、表示形式の変更を行った場合、図６下側に示すように、テキストのみがテキスト６１からテキスト６２のように、大きく表示されている。これは、図４で説明を行ったパラメータテーブル６の組み合わせＡからＣへの変更。あるいは組み合わせＢからＤへの変更を実施した場合の例に相当する。
【００２４】
図７は、表示画面における動画表示部位の拡大表示を示す例であり、図７において参照符号６０は表示画面、６１はテキスト、６３は動画表示領域をそれぞれ示している。図７上側の表示画面６０内の動画表示領域６３をユーザが、ポインティングデバイスの変更ボタン５４を押して表示形式の変更を行った場合の例であり、図６下側に示すように、動画像表示領域６３が、画面いっぱいに、大きく表示されている。これは、図４で説明を行ったパラメータテーブル６の組み合わせＢからＡへの変更。あるいは組み合わせＤからＣへの変更を実施した場合に相当する。なお、この実施例では、動画像表示領域６３の大きさが、パラメータテーブル６の表示解像度９６０ドットｘ５４０ドットと、ほぼ同じ大きさであり、かつ、左下を始点として、表示解像度が構成されているときの状態を示したものである。
【００２５】
以上説明したように、パラメータテーブル６の組み合わせをユーザのポインティングデバイスの操作により、選択することで、例えば、表示画面の近くに居るときにはテキストに小さいフォントを用いて表示したり、逆に、離れた位置に居るときには、大きなフォントを用いて表示したり、或いは表示解像度を選択することにより、動画像を大きく表示することが可能である。
【実施例２】
【００２６】
本発明の第２の実施例について説明する。図８は、パラメータテーブル８２に格納されている情報を示した図であり、先の第１の実施例とは異なり、表示画面の分割数と、各分割された表示画面の表示位置の情報とが格納されている。ここで、分割数と分割位置の組み合わせは、ＵＲＬ−ＡからＵＲＬ−Ｄで表現されており、これは、インターネットにおけるアドレスであるＵＲＬ毎に、表示方法の組み合わせを示したパラメータテーブルである。
【００２７】
図９は、第２の実施例における表示画面６０と、その表示領域８１を示した図であり、図９に示す表示画面６０では、パラメータテーブル８２のＵＲＬ−Ａを選択した場合の実施例である。図９の上側の図は、１から５の番号を付けた同一サイズの矩形領域によって表示画面が、仮想的に分割されていることを示している。
【００２８】
例えば、ＵＲＬ−Ａを選択した場合、分割数は５、表示位置も５である。すなわち、表示画面６０を仮想的に５分割して５個の同一サイズの矩形領域全体で１つの画面を表示し、表示位置が５であるから、１〜５の分割位置の番号５の分割画面領域が、ポインティングデバイスによりＵＲＬ−Ａを選択し、変更ボタン５４を押すことで図９に示すように拡大表示される。
【００２９】
また、ＵＲＬ−Ｂでは、分割数は９、すなわち、図１０に示すように、表示画面６０を仮想的に９分割して９個の同一サイズの矩形領域により画面全体を表示し、表示される分割位置は７であるから、１〜９の分割画面位置の番号７番の分割画面領域が拡大表示される。
【００３０】
同様に、ＵＲＬ−Ｃでは、分割数５、表示される分割位置は３であるから、図９のように表示画面６０を仮想的に５分割して５個の同一サイズの矩形領域で全体画面を表示し、表示位置は３であるから、図９の左下の場合で言えば、１〜５の分割画面位置の番号３の画面領域が拡大される。
【００３１】
また、ＵＲＬ−Ｄでは分割数は９、表示される分割位置は１であるから、表示画面６０を仮想的に９分割して９個の同一サイズの矩形領域により画面全体を表示し、表示される分割位置は１〜９の分割画面位置の番号１番の分割画面領域が拡大表示される。
本実施例では、先の図８のパラメータテーブル８２のＵＲＬ−Ａの組み合わせを用いると、図９上側の表示画面６０の矩形領域のうち、分割位置５の表示画面が、ポインティングデバイスを用いて、ユーザの変更ボタン５４の操作により選択され、図９下側の表示画面６０に示すように、表示領域８１の画面一杯に表示される。これはインターネットのサイトの構成によって、動画像や、大きく表示させてみたい部位が分割数５のときの真ん中の分割位置５にあるという状態をＵＲＬごとにパラメータテーブル８２に格納することにより、ユーザは、図５に示したポインティングデバイスの変更ボタン５４を押すだけで、画面の一部の矩形領域を大きく拡大して表示することが可能となり、簡単にユーザの好みにあわせた表示にできる。なお、これらの操作は、第１の実施例で説明した図１のネットワーク端末１と同じ内部ブロック構成を備えたネットワーク端末で実現可能であり、図３で説明したプロセッサ３１によって動作している図１の制御部４により制御しており、図１のパラメータテーブル６だけが、パラメータテーブル８２に置き換わったものである。
【００３２】
図１０は、仮想的に分割数９個に分割されている場合の実施例であり、図８のパラメータテーブル８２によって選択されたＵＲＬが、ＵＲＬ−ＢやＵＲＬ−Ｄの場合の状態を示した図である。ＵＲＬ−ＢやＵＲＬ−Ｄの場合には、分割数９個で構成され、それぞれ矩形領域７あるいは１を図１０下側の表示画面６０に示すように、表示領域８１の画面一杯に表示することが可能である。
【００３３】
図９、図１０では、表示画面の分割数は５個、９個と固定であったが、分割数や分割された矩形領域の位置の構成は、任意とすることは可能であり、また各矩形領域の大きさが異なる構成も取ることが可能である。
【実施例３】
【００３４】
図１に示した内部ブロック図では、テレビチューナを内蔵していないが、テレビチューナを内蔵し、表示手段９に接続し、制御部４による制御を実施すれば、テレビ番組も同様に、一部を拡大表示したりする実施例も構成することが可能である。
【図面の簡単な説明】
【００３５】
【図１】本発明の第１実施例のネットワーク端末の内部構成を示すブロック図。
【図２】第1実施例のシステム構成の外観図。
【図３】ネットワーク端末の内部構成図
【図４】フォントサイズと表示解像度のパラメータテーブルの一例を示す図。
【図５】本発明で用いる変更ボタンを備えたポインティングデバイスの一例を示す図。
【図６】テキストフォント拡大表示の一例を示す図。
【図７】動画表示領域の拡大表示の一例を示す図。
【図８】表示画面分割数と分割位置のパラメータテーブルの一例を示す図。
【図９】表示画面分割数５個の実施例を示す図。
【図１０】表示画面分割数９個の実施例を示す図。
【符号の説明】
【００３６】
１…ネットワーク端末、２…リモコン信号、３…リモコン受信部、４…制御部、５…レンダラー、６…パラメータテーブル、９…表示手段、８…ネットワーク接続部、７…ビデオメモリ、１０…ネットワークケーブル、１１…映像信号ケーブル、２０…リモコン、２１…表示装置、５１…ポインティングデバイス、５２…コントローラ、５３…マウス、５４…変更ボタン、６０…表示画面、６１…テキスト、６２…テキスト、６３…動画表示領域、８１…表示領域、８２…パラメータテーブル。
【図１】
2009003745.tif 000003
【図２】
2009003745.tif 000004
【図３】
2009003745.tif 000005
【図４】
2009003745.tif 000006
【図５】
2009003745.tif 000007
【図６】
2009003745.tif 000008
【図７】
2009003745.tif 000009
【図８】
2009003745.tif 000010
【図９】
2009003745.tif 000011
【図１０】
2009003745.tif 000012